(57)【要約】【課題】本発明は液体のり用ボトルを開示した。【解決手段】本発明は液体のり用ボトルを公示し、前記装着カバーと前記制御筐体との中にはのりの流出を制御できる制御部品が設置され、前記制御部品は装着環を含み、前記装着環は前記装着カバーの中に固定的に装着され、前記装着環にはのりの流出を制御できる弾性弁膜が固定的に設置され、のりを使おうとする時に、制御環を回し、制御環の回転は制御歯車の回転を連動させ、制御歯車の回転は第二管路を下へスライドさせ、第二管路が下へスライドすることで弾性弁膜を押し動かし展開させ、それにより、のりを第二管路の中に入らせることができ、本発明はのりを絞り出すための時間を減らし、絞り出したのりの流出量を需要に合わせて調節でき、また、使用完了後に、のりの流出管路を浚え、塞ぎを防げる。【選択図】図１
2020183277.tif 000002
【特許請求の範囲】
【請求項１】
正面視で、ボトルを含み、前記ボトルの頂部端面には装着カバーがネジ山によって装着され、前記装着カバーには制御筐体がネジ山によって装着され、前記装着カバーと前記制御筐体との中にはのりの流出を制御できる制御部品が設置され、前記制御部品は装着環を含み、前記装着環は前記装着カバーの中に固定的に装着され、前記装着環にはのりの流出を制御できる弾性弁膜が固定的に設置され、前記制御筐体の底部端面には下方に開口した管路スライド溝設置され、前記管路スライド溝の頂部端面と前記管路スライド溝の底壁との間にはのりを流れ出させることができる第一管路が固定的に装着され、前記管路スライド溝の中には第二管路がスライド可能に装着され、前記第二管路と前記第一管路とがスライドできるように取り付けられ、前記管路スライド溝の中には制御歯車が回転可能に装着され、前記制御歯車と前記第二管路とはネジ山によって連結され、前記第一管路の右側内壁と前記制御筐体の底部端面との間には溢流管が連通するように設置され、前記管路スライド溝の右側には前記管路スライド溝と連通したばね溝が設置され、前記ばね溝と前記溢流管とは連通しており、前記ばね溝の上下内壁の間には密封棒がヒンジで装着され、前記密封棒には前記溢流管と連通することができる連通孔が設置され、弾性弁膜の中から溢れ出したのりが連通孔と溢流管とを通じて前記第一管路の中に逆戻りすることができ、前記制御筐体の頂部にはのりの流出量を調節できる調節部品が設置され、前記調節部品は前記制御筐体に設置された引掛りカバー  を含み、前記引掛りカバーには弾性変形可能のスプリングコレットチャックが固定的に設置され、前記引掛りカバーの中には調節環が回転可能に装着され、前記調節環の中には前記スプリングコレットチャックの変形を制御できる調節カバーがネジ山によって装着され、前記スプリングコレットチャックの中には調節口が設置され、前記調節口の内壁の中にはのりの漏れを防止できる密封膜が固定的に設置され、前記スプリングコレットチャックの変形でのりの流出量を制御できることを特徴とする液体のり用ボトル。
【請求項２】
前記制御部品はボトルの中に設置された保存チャンバを含み、前記保存チャンバの中には隔て板が固定的に設置され、前記弾性弁膜の頂部末端は外に曲がり、前記第二管路が下へ移動し弾性弁膜の中に入ることに便利であり、前記管路スライド溝の左側には前記管路スライド溝と連通した中間歯車チャンバが設置され、前記中間歯車チャンバの上下内壁の間には中間歯車が回転可能に装着され、前記中間歯車と前記制御歯車とが噛み合っており、前記制御筐体の外側端面には制御環が回転可能に装着され、前記制御環には内歯が設置され、前記制御環の内歯と前記中間歯車の中とは噛み合っており、前記密封棒の左側端面には環状ラックが固定的に装着され、前記環状ラックと前記制御歯車とは噛み合っており、前記管路スライド溝の右側内壁の中にはラック溝が設置され、前記ラック溝と前記環状ラックとはスライド可能に装着され、前記密封棒の前後端面において前記ばね溝の前後内壁の間にはばねが前後対称に、且つ固定的に装着されていることを特徴とする請求項１に記載の液体のり用ボトル。
【請求項３】
前記調節部品は前記制御筐体の左右両側に左右対称に設置された引掛り溝を含み、前記引掛りカバーには引掛り歯が左右対称に、且つ固定的に設置され、前記引掛り歯と前記引掛り溝とは互いに引っ掛かることができ、前記引掛りカバーの底部端面と前記制御筐体の頂部端面との間にはガスケットが装着され、前記調節口の中にはガイド棒が設置され、前記ガイド棒と前記第一管路とはスライド可能に装着され、前記ガイド棒の底部にはのりの流出に便利な流出孔が設置され、前記ガイド棒には螺旋溝が設置され、前記ガイド棒の頂部端面には塗り板が固定的に装着されていることを特徴とする請求項１に記載の液体のり用ボトル。
【発明の詳細な説明】
【技術分野】
【０００１】
本発明は文房具分野を取り上げ、具体的には液体のり用ボトルである。
【背景技術】
【０００２】
既存の液体のりは使用時に手で絞り出さなければならないが、のりの流動性が悪いため、のりが出てくるのに時間がかかり、また、絞り出された量もコントロールできず、絞りすぎる恐れがある。さらに、使用後に、のりが凝固し、管路を塞ぐことも多々あり、不便である。
【先行技術文献】
【特許文献】
【０００３】
【特許文献１】中国特許出願公開第102502058号明細書
【発明の概要】
【発明が解決しようとする課題】
【０００４】
本発明は液体のり用ボトルを提供し、既存技術にある上記の欠点を解消することを目的とする。
【課題を解決するための手段】
【０００５】
本発明の実施例による液体のり用ボトルは、ボトルを含み、前記ボトルの頂部端面には装着カバーがネジ山によって装着され、前記装着カバーには制御筐体がネジ山によって装着され、前記装着カバーと前記制御筐体との中にはのりの流出を制御できる制御部品が設置され、前記制御部品は装着環を含み、前記装着環は前記装着カバーの中に固定的に装着され、前記装着環にはのりの流出を制御できる弾性弁膜が固定的に設置され、前記制御筐体の底部端面には下方に開口した管路スライド溝設置され、前記管路スライド溝の頂部端面と前記管路スライド溝の底壁との間にはのりを流れ出させることができる第一管路が固定的に装着され、前記管路スライド溝の中には第二管路がスライド可能に装着され、前記第二管路と前記第一管路とがスライドできるように取り付けられ、前記管路スライド溝の中には制御歯車が回転可能に装着され、前記制御歯車と前記第二管路とはネジ山によって連結され、前記第一管路の右側内壁と前記制御筐体の底部端面との間には溢流管が連通するように設置され、前記管路スライド溝の右側には前記管路スライド溝と連通したばね溝が設置され、前記ばね溝と前記溢流管とは連通しており、前記ばね溝の上下内壁の間には密封棒がヒンジで装着され、前記密封棒には前記溢流管と連通することができる連通孔が設置され、弾性弁膜の中から溢れ出したのりが連通孔と溢流管とを通じて前記第一管路の中に逆戻りすることができ、前記制御筐体の頂部にはのりの流出量を調節できる調節部品が設置され、前記調節部品は前記制御筐体に設置された引掛りカバー  を含み、前記引掛りカバーには弾性変形可能のスプリングコレットチャックが固定的に設置され、前記引掛りカバーの中には調節環が回転可能に装着され、前記調節環の中には前記スプリングコレットチャックの変形を制御できる調節カバーがネジ山によって装着され、前記スプリングコレットチャックの中には調節口が設置され、前記調節口の内壁の中にはのりの漏れを防止できる密封膜が固定的に設置され、前記スプリングコレットチャックの変形でのりの流出量を制御できる。
【０００６】
さらなる技術プランとして、前記制御部品はボトルの中に設置された保存チャンバを含み、前記保存チャンバの中には隔て板が固定的に設置され、前記弾性弁膜の頂部末端は外に曲がり、前記第二管路が下へ移動し弾性弁膜の中に入ることに便利であり、前記管路スライド溝の左側には前記管路スライド溝と連通した中間歯車チャンバが設置され、前記中間歯車チャンバの上下内壁の間には中間歯車が回転可能に装着され、前記中間歯車と前記制御歯車とが噛み合っており、前記制御筐体の外側端面には制御環が回転可能に装着され、前記制御環には内歯が設置され、前記制御環の内歯と前記中間歯車の中とは噛み合っており、前記密封棒の左側端面には環状ラックが固定的に装着され、前記環状ラックと前記制御歯車とは噛み合っており、前記管路スライド溝の右側内壁の中にはラック溝が設置され、前記ラック溝と前記環状ラックとはスライド可能に装着され、前記密封棒の前後端面において前記ばね溝の前後内壁の間にはばねが前後対称に、且つ固定的に装着されている。
【０００７】
さらなる技術プランとして、前記調節部品は前記制御筐体の左右両側に左右対称に設置された引掛り溝を含み、前記引掛りカバーには引掛り歯が左右対称に、且つ固定的に設置され、前記引掛り歯と前記引掛り溝とは互いに引っ掛かることができ、前記引掛りカバーの底部端面と前記制御筐体の頂部端面との間にはガスケットが装着され、前記調節口の中にはガイド棒が設置され、前記ガイド棒と前記第一管路とはスライド可能に装着され、前記ガイド棒の底部にはのりの流出に便利な流出孔が設置され、前記ガイド棒には螺旋溝が設置され、前記ガイド棒の頂部端面には塗り板が固定的に装着されている。
【発明の効果】
【０００８】
本発明のメリットは：本発明はのりを絞り出すための時間を減らし、絞り出したのりの流出量を需要に合わせて調節でき、また、使用完了後に、のりの流出管路を浚え、塞ぎを防げ、普及に値する。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の全体構成略図
【図２】図２は図１におけるＡ―Ａ方向からの断面構成略図
【図３】図３は図１におけるＢの拡大構成略図
【図４】図４は部品調節環２９と部品密封膜３１との間の上面構成略図
【図５】図５は部品装着環１８と部品弾性弁膜３８の３Ｄ立体構成略図
【発明を実施するための形態】
【００１１】
図１〜５を参照し、本発明の液体のり用ボトルは、ボトル１０を含み、前記ボトル１０の頂部端面には装着カバー１７がネジ山によって装着され、前記装着カバー１７には制御筐体１６がネジ山によって装着され、前記装着カバー１７と前記制御筐体１６との中にはのりの流出を制御できる制御部品８０が設置され、前記制御部品８０は装着環１８を含み、前記装着環１８は前記装着カバー１７の中に固定的に装着され、前記装着環１８にはのりの流出を制御できる弾性弁膜３８が固定的に設置され、前記制御筐体１６の底部端面には下方に開口した管路スライド溝２６設置され、前記管路スライド溝２６の頂部端面と前記管路スライド溝の底壁との間にはのりを流れ出させることができる第一管路２７が固定的に装着され、前記管路スライド溝２６の中には第二管路２０がスライド可能に装着され、前記第二管路２０と前記第一管路２７とがスライドできるように取り付けられ、前記管路スライド溝２６の中には制御歯車２５が回転可能に装着され、前記制御歯車２５と前記第二管路２０とはネジ山によって連結され、前記第一管路２７の右側内壁と前記制御筐体１６の底部端面との間には溢流管２１が連通するように設置され、前記管路スライド溝２６の右側には前記管路スライド溝２６と連通したばね溝２４が設置され、前記ばね溝２４と前記溢流管２１とは連通しており、前記ばね溝２４の上下内壁の間には密封棒２２がヒンジで装着され、前記密封棒２２には前記溢流管２１と連通することができる連通孔２３が設置され、弾性弁膜３８の中から溢れ出したのりが連通孔２３と溢流管２１とを通じて前記第一管路２７の中に逆戻りすることができ、前記制御筐体１６の頂部にはのりの流出量を調節できる調節部品８１が設置され、前記調節部品８１は前記制御筐体１６に設置された引掛りカバー  ２８を含み、前記引掛りカバー２８には弾性変形可能のスプリングコレットチャック４０が固定的に設置され、前記引掛りカバー２８の中には調節環２９が回転可能に装着され、前記調節環２９の中には前記スプリングコレットチャック４０の変形を制御できる調節カバー３０がネジ山によって装着され、前記スプリングコレットチャック４０の中には調節口３２が設置され、前記調節口３２の内壁の中にはのりの漏れを防止できる密封膜３１が固定的に設置され、前記スプリングコレットチャック４０の変形でのりの流出量を制御できる。
【００１２】
前記制御部品８０はボトル１０の中に設置された保存チャンバ１１を含み、前記保存チャンバ１１の中には隔て板１２が固定的に設置され、前記弾性弁膜３８の頂部末端は外に曲がり、前記第二管路２０が下へ移動し弾性弁膜３８の中に入ることに便利であり、前記管路スライド溝２６の左側には前記管路スライド溝２６と連通した中間歯車チャンバ４６が設置され、前記中間歯車チャンバ４６の上下内壁の間には中間歯車４５が回転可能に装着され、前記中間歯車４５と前記制御歯車２５とが噛み合っており、前記制御筐体１６の外側端面には制御環１５が回転可能に装着され、前記制御環１５には内歯が設置され、前記制御環１５の内歯と前記中間歯車４５の中とは噛み合っており、前記密封棒２２の左側端面には環状ラック４３が固定的に装着され、前記環状ラック４３と前記制御歯車２５とは噛み合っており、前記管路スライド溝２６の右側内壁の中にはラック溝３６が設置され、前記ラック溝３６と前記環状ラック４３とはスライド可能に装着され、前記密封棒２２の前後端面において前記ばね溝２４の前後内壁の間にはばね３５が前後対称に、且つ固定的に装着され、のりを使おうとする時に、制御環１５を回し、制御環１５の回転は制御歯車２５の回転を連動させ、制御歯車２５の回転は第二管路２０を下へスライドさせ、第二管路２０が下へスライドすることで弾性弁膜３８を展開させ、それにより、のりを第二管路２０の中に入らせることができ、制御歯車２５は回転する時に、環状ラック４３と密封棒２２とは回転連動され、連通孔２３と溢流管２１とを連通させ、弾性弁膜３８から溢れ出したのりは溢流管２１を通じて第一管路２７の中に入り、隔て板１２には一定量ののりを保存でき、それにより、次に使用する時に、のりの流出時間を減らすことができる。
【００１３】
前記調節部品８１は前記制御筐体１６の左右両側に左右対称に設置された引掛り溝１９を含み、前記引掛りカバー２８には引掛り歯３６が左右対称に、且つ固定的に設置され、前記引掛り歯３７と前記引掛り溝１９とは互いに引っ掛かることができ、前記引掛りカバー２８の底部端面と前記制御筐体１６の頂部端面との間にはガスケット３３が装着され、前記調節口３２の中にはガイド棒１４が設置され、前記ガイド棒１４と前記第一管路２７とはスライド可能に装着され、前記ガイド棒１４の底部にはのりの流出に便利な流出孔３４が設置され、前記ガイド棒１４には螺旋溝が設置され、前記ガイド棒１４の頂部端面には塗り板１３が固定的に装着され、のりが調節口３２の中に入った後、調節環２９を回し、調節環２９は調節カバー３０を上下にスライド連動させ、調節カバー３０はスプリングコレットチャック４０の変形を調節でき、スプリングコレットチャック４０の変形は調節口３２の空間の広さを調節でき、それにより、のりの流出量を調節でき、ガイド棒１４にある螺旋溝はのりの流出速度を緩められ、また、のりが凝固した後、調節口３２の中の空間への浚いに便利であり、塗り板１３は流れ出したのりを均等に塗らせることができる。
【００１４】
使用時に、のりを使おうとする時に、制御環１５を回し、制御環１５の回転は制御歯車２５の回転を連動させ、制御歯車２５の回転は第二管路２０を下へスライドさせ、第二管路２０が下へスライドすることで弾性弁膜３８を押し動かし展開させ、それにより、のりを第二管路２０の中に入らせることができ、制御歯車２５は回転する時に、環状ラック４３と密封棒２２とは回転連動され、連通孔２３と溢流管２１とを連通させ、弾性弁膜３８から溢れ出したのりは溢流管２１を通じて第一管路２７の中に入り、隔て板１２には一定量ののりを保存でき、それにより、次に使用する時に、のりの流出時間を減らすことができ、のりが調節口３２の中に入った後、調節環２９を回し、調節環２９は調節カバー３０を上下にスライド連動させ、調節カバー３０はスプリングコレットチャック４０の変形を調節でき、スプリングコレットチャック４０の変形は調節口３２の空間の広さを調節でき、それにより、のりの流出量を調節でき、ガイド棒１４にある螺旋溝はのりの流出速度を緩められ、また、のりが凝固した後、調節口３２の中の空間への浚いに便利であり、塗り板１３は流れ出したのりを均等に塗らせることができる。  
【００１５】
本発明のメリットは：本発明はのりを絞り出すための時間を減らし、絞り出したのりの流出量を需要に合わせて調節でき、また、使用完了後に、のりの流出管路を浚え、塞ぎを防げ、普及に値する。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020183277.tif 000003
【図２】
2020183277.tif 000004
【図３】
2020183277.tif 000005
【図４】
2020183277.tif 000006
【図５】
2020183277.tif 000007
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
正面視で、液体のり用ボトルの上側には塗り板とガイド棒があり、ボトルを含み、前記ボトルの頂部端面には装着カバーがネジ山によって装着され、前記装着カバーには制御筐体がネジ山によって装着され、前記装着カバーと前記制御筐体との中にはのりの流出を制御できる制御部品が設置され、前記制御部品は装着環を含み、前記装着環は前記装着カバーの中に固定的に装着され、前記装着環にはのりの流出を制御できる弾性弁膜が固定的に設置され、前記制御筐体の底部端面には下方に開口した管路スライド溝設置され、前記管路スライド溝の頂部端面と前記管路スライド溝の底壁との間にはのりを流れ出させることができる第一管路が固定的に装着され、前記管路スライド溝の中には第二管路がスライド可能に装着され、前記第二管路と前記第一管路とがスライドできるように取り付けられ、前記管路スライド溝の中には制御歯車が回転可能に装着され、前記制御歯車と前記第二管路とはネジ山によって連結され、前記第一管路の右側内壁と前記制御筐体の底部端面との間には溢流管が連通するように設置され、前記管路スライド溝の右側には前記管路スライド溝と連通したばね溝が設置され、前記ばね溝と前記溢流管とは連通しており、前記ばね溝の上下内壁の間には密封棒がヒンジで装着され、前記密封棒には前記溢流管と連通することができる連通孔が設置され、弾性弁膜の中から溢れ出したのりが連通孔と溢流管とを通じて前記第一管路の中に逆戻りすることができ、前記制御筐体の頂部にはのりの流出量を調節できる調節部品が設置され、前記調節部品は前記制御筐体に設置された引掛りカバーを含み、前記引掛りカバーには弾性変形可能のスプリングコレットチャックが固定的に設置され、前記引掛りカバーの中には調節環が回転可能に装着され、前記調節環の中には前記スプリングコレットチャックの変形を制御できる調節カバーがネジ山によって装着され、前記スプリングコレットチャックの中には調節口が設置され、前記調節口の内壁の中にはのりの漏れを防止できる密封膜が固定的に設置され、前記スプリングコレットチャックの変形でのりの流出量を制御できることを特徴とする液体のり用ボトル。
【請求項２】
前記制御部品はボトルの中に設置された保存チャンバを含み、前記保存チャンバの中には隔て板が固定的に設置され、前記弾性弁膜の頂部末端は外に曲がり、前記第二管路が下へ移動し弾性弁膜の中に入ることに便利であり、前記管路スライド溝の左側には前記管路スライド溝と連通した中間歯車チャンバが設置され、前記中間歯車チャンバの上下内壁の間には中間歯車が回転可能に装着され、前記中間歯車と前記制御歯車とが噛み合っており、前記制御筐体の外側端面には制御環が回転可能に装着され、前記制御環には内歯が設置され、前記制御環の内歯と前記中間歯車の中とは噛み合っており、前記密封棒の左側端面には環状ラックが固定的に装着され、前記環状ラックと前記制御歯車とは噛み合っており、前記管路スライド溝の右側内壁の中にはラック溝が設置され、前記ラック溝と前記環状ラックとはスライド可能に装着され、前記密封棒の前後端面において前記ばね溝の前後内壁の間にはばねが前後対称に、且つ固定的に装着され、
のりを使おうとする時に、前記制御環を回し、前記制御環の回転は前記制御歯車の回転を連動させ、前記制御歯車の回転は前記第二管路を下へスライドさせ、前記第二管路が下へスライドすることで前記弾性弁膜を押し動かし展開させ、それにより、のりを前記第二管路の中に入らせることができ、前記制御歯車は回転する時に、前記環状ラックと前記密封棒とは回転連動され、前記連通孔と前記溢流管とを連通させ、前記弾性弁膜から溢れ出したのりは前記溢流管を通じて前記第一管路の中に入り、前記隔て板には一定量ののりを保存でき、それにより、次に使用する時に、のりの流出時間を減らすことができることを特徴とする請求項１に記載の液体のり用ボトル。
【請求項３】
前記調節部品は前記制御筐体の左右両側に左右対称に設置された引掛り溝を含み、前記引掛りカバーには引掛り歯が左右対称に、且つ固定的に設置され、前記引掛り歯と前記引掛り溝とは互いに引っ掛かることができ、前記引掛りカバーの底部端面と前記制御筐体の頂部端面との間にはガスケットが装着され、前記調節口の中には前記ガイド棒が設置され、前記ガイド棒と前記第一管路とはスライド可能に装着され、前記ガイド棒の底部にはのりの流出に便利な流出孔が設置され、前記ガイド棒には螺旋溝が設置され、前記ガイド棒の頂部端面には前記塗り板が固定的に装着され、
のりの流出量を調節でき、前記ガイド棒にある螺旋溝はのりの流出速度を緩められ、また、のりが凝固した後、前記調節口の中の空間への浚いに便利であり、前記塗り板は流れ出したのりを均等に塗らせることを特徴とする請求項１に記載の液体のり用ボトル。
【手続補正２】
【補正対象書類名】明細書
【補正対象項目名】全文
【補正方法】変更
【補正の内容】
【発明の詳細な説明】
【技術分野】
【０００１】
本発明は文房具分野を取り上げ、具体的には液体のり用ボトルである。
【背景技術】
【０００２】
既存の液体のりは使用時に手で絞り出さなければならないが、のりの流動性が悪いため、のりが出てくるのに時間がかかり、また、絞り出された量もコントロールできず、絞りすぎる恐れがある。さらに、使用後に、のりが凝固し、管路を塞ぐことも多々あり、不便である。
【先行技術文献】
【特許文献】
【０００３】
【特許文献１】中国特許出願公開第１０２５０２０５８号明細書
【発明の概要】
【発明が解決しようとする課題】
【０００４】
本発明は液体のり用ボトルを提供し、既存技術にある上記の欠点を解消することを目的とする。
【課題を解決するための手段】
【０００５】
本発明の実施例による液体のり用ボトルは、ボトルを含み、前記ボトルの頂部端面には装着カバーがネジ山によって装着され、前記装着カバーには制御筐体がネジ山によって装着され、前記装着カバーと前記制御筐体との中にはのりの流出を制御できる制御部品が設置され、前記制御部品は装着環を含み、前記装着環は前記装着カバーの中に固定的に装着され、前記装着環にはのりの流出を制御できる弾性弁膜が固定的に設置され、前記制御筐体の底部端面には下方に開口した管路スライド溝設置され、前記管路スライド溝の頂部端面と前記管路スライド溝の底壁との間にはのりを流れ出させることができる第一管路が固定的に装着され、前記管路スライド溝の中には第二管路がスライド可能に装着され、前記第二管路と前記第一管路とがスライドできるように取り付けられ、前記管路スライド溝の中には制御歯車が回転可能に装着され、前記制御歯車と前記第二管路とはネジ山によって連結され、前記第一管路の右側内壁と前記制御筐体の底部端面との間には溢流管が連通するように設置され、前記管路スライド溝の右側には前記管路スライド溝と連通したばね溝が設置され、前記ばね溝と前記溢流管とは連通しており、前記ばね溝の上下内壁の間には密封棒がヒンジで装着され、前記密封棒には前記溢流管と連通することができる連通孔が設置され、弾性弁膜の中から溢れ出したのりが連通孔と溢流管とを通じて前記第一管路の中に逆戻りすることができ、前記制御筐体の頂部にはのりの流出量を調節できる調節部品が設置され、前記調節部品は前記制御筐体に設置された引掛りカバーを含み、前記引掛りカバーには弾性変形可能のスプリングコレットチャックが固定的に設置され、前記引掛りカバーの中には調節環が回転可能に装着され、前記調節環の中には前記スプリングコレットチャックの変形を制御できる調節カバーがネジ山によって装着され、前記スプリングコレットチャックの中には調節口が設置され、前記調節口の内壁の中にはのりの漏れを防止できる密封膜が固定的に設置され、前記スプリングコレットチャックの変形でのりの流出量を制御できる。
【０００６】
さらなる技術プランとして、前記制御部品はボトルの中に設置された保存チャンバを含み、前記保存チャンバの中には隔て板が固定的に設置され、前記弾性弁膜の頂部末端は外に曲がり、前記第二管路が下へ移動し弾性弁膜の中に入ることに便利であり、前記管路スライド溝の左側には前記管路スライド溝と連通した中間歯車チャンバが設置され、前記中間歯車チャンバの上下内壁の間には中間歯車が回転可能に装着され、前記中間歯車と前記制御歯車とが噛み合っており、前記制御筐体の外側端面には制御環が回転可能に装着され、前記制御環には内歯が設置され、前記制御環の内歯と前記中間歯車の中とは噛み合っており、前記密封棒の左側端面には環状ラックが固定的に装着され、前記環状ラックと前記制御歯車とは噛み合っており、前記管路スライド溝の右側内壁の中にはラック溝が設置され、前記ラック溝と前記環状ラックとはスライド可能に装着され、前記密封棒の前後端面において前記ばね溝の前後内壁の間にはばねが前後対称に、且つ固定的に装着されている。
【０００７】
さらなる技術プランとして、前記調節部品は前記制御筐体の左右両側に左右対称に設置された引掛り溝を含み、前記引掛りカバーには引掛り歯が左右対称に、且つ固定的に設置され、前記引掛り歯と前記引掛り溝とは互いに引っ掛かることができ、前記引掛りカバーの底部端面と前記制御筐体の頂部端面との間にはガスケットが装着され、前記調節口の中にはガイド棒が設置され、前記ガイド棒と前記第一管路とはスライド可能に装着され、前記ガイド管の底部にはのりの流出に便利な流出孔が設置され、前記ガイド棒には螺旋溝が設置され、前記ガイド棒の頂部端面には塗り板が固定的に装着されている。
【発明の効果】
【０００８】
本発明のメリットは：本発明はのりを絞り出すための時間を減らし、絞り出したのりの流出量を需要に合わせて調節でき、また、使用完了後に、のりの流出管路を浚え、塞ぎを防げ、普及に値する。
【図面の簡単な説明】
【０００９】
下記に図１〜５をあわせて本発明について詳しく説明し、便利に説明するために、下記の方向を以下のように規定する：本願に記載の各方向が、図１と同じ向きに装置を見た際の方向である。
【００１０】
【図１】図１は本発明の全体構成略図
【図２】図２は図１におけるＡ―Ａ方向からの断面構成略図
【図３】図３は図１におけるＢの拡大構成略図
【図４】図４は部品調節環２９と部品密封膜３１との間の上面構成略図
【図５】図５は部品装着環１８と部品弾性弁膜３８の３Ｄ立体構成略図
【発明を実施するための形態】
【００１１】
図１〜５を参照し、本発明の液体のり用ボトルは、ボトル１０を含み、前記ボトル１０の頂部端面には装着カバー１７がネジ山によって装着され、前記装着カバー１７には制御筐体１６がネジ山によって装着され、前記装着カバー１７と前記制御筐体１６との中にはのりの流出を制御できる制御部品８０が設置され、前記制御部品８０は装着環１８を含み、前記装着環１８は前記装着カバー１７の中に固定的に装着され、前記装着環１８にはのりの流出を制御できる弾性弁膜３８が固定的に設置され、前記制御筐体１６の底部端面には下方に開口した管路スライド溝２６設置され、前記管路スライド溝２６の頂部端面と前記管路スライド溝の底壁との間にはのりを流れ出させることができる第一管路２７が固定的に装着され、前記管路スライド溝２６の中には第二管路２０がスライド可能に装着され、前記第二管路２０と前記第一管路２７とがスライドできるように取り付けられ、前記管路スライド溝２６の中には制御歯車２５が回転可能に装着され、前記制御歯車２５と前記第二管路２０とはネジ山によって連結され、前記第一管路２７の右側内壁と前記制御筐体１６の底部端面との間には溢流管２１が連通するように設置され、前記管路スライド溝２６の右側には前記管路スライド溝２６と連通したばね溝２４が設置され、前記ばね溝２４と前記溢流管２１とは連通しており、前記ばね溝２４の上下内壁の間には密封棒２２がヒンジで装着され、前記密封棒２２には前記溢流管２１と連通することができる連通孔２３が設置され、弾性弁膜３８の中から溢れ出したのりが連通孔２３と溢流管２１とを通じて前記第一管路２７の中に逆戻りすることができ、前記制御筐体１６の頂部にはのりの流出量を調節できる調節部品８１が設置され、前記調節部品８１は前記制御筐体１６に設置された引掛りカバー２８を含み、前記引掛りカバー２８には弾性変形可能のスプリングコレットチャック４０が固定的に設置され、前記引掛りカバー２８の中には調節環２９が回転可能に装着され、前記調節環２９の中には前記スプリングコレットチャック４０の変形を制御できる調節カバー３０がネジ山によって装着され、前記スプリングコレットチャック４０の中には調節口３２が設置され、前記調節口３２の内壁の中にはのりの漏れを防止できる密封膜３１が固定的に設置され、前記スプリングコレットチャック４０の変形でのりの流出量を制御できる。
【００１２】
前記制御部品８０はボトル１０の中に設置された保存チャンバ１１を含み、前記保存チャンバ１１の中には隔て板１２が固定的に設置され、前記弾性弁膜３８の頂部末端は外に曲がり、前記第二管路２０が下へ移動し弾性弁膜３８の中に入ることに便利であり、前記管路スライド溝２６の左側には前記管路スライド溝２６と連通した中間歯車チャンバ４６が設置され、前記中間歯車チャンバ４６の上下内壁の間には中間歯車４５が回転可能に装着され、前記中間歯車４５と前記制御歯車２５とが噛み合っており、前記制御筐体１６の外側端面には制御環１５が回転可能に装着され、前記制御環１５には内歯が設置され、前記制御環１５の内歯と前記中間歯車４５の中とは噛み合っており、前記密封棒２２の左側端面には環状ラック４３が固定的に装着され、前記環状ラック４３と前記制御歯車２５とは噛み合っており、前記管路スライド溝２６の右側内壁の中にはラック溝３６が設置され、前記ラック溝３６と前記環状ラック４３とはスライド可能に装着され、前記密封棒２２の前後端面において前記ばね溝２４の前後内壁の間にはばね３５が前後対称に、且つ固定的に装着され、のりを使おうとする時に、制御環１５を回し、制御環１５の回転は制御歯車２５の回転を連動させ、制御歯車２５の回転は第二管路２０を下へスライドさせ、第二管路２０が下へスライドすることで弾性弁膜３８を展開させ、それにより、のりを第二管路２０の中に入らせることができ、制御歯車２５は回転する時に、環状ラック４３と密封棒２２とは回転連動され、連通孔２３と溢流管２１とを連通させ、弾性弁膜３８から溢れ出したのりは溢流管２１を通じて第一管路２７の中に入り、隔て板１２には一定量ののりを保存でき、それにより、次に使用する時に、のりの流出時間を減らすことができる。
【００１３】
前記調節部品８１は前記制御筐体１６の左右両側に左右対称に設置された引掛り溝１９を含み、前記引掛りカバー２８には引掛り歯３６が左右対称に、且つ固定的に設置され、前記引掛り歯３７と前記引掛り溝１９とは互いに引っ掛かることができ、前記引掛りカバー２８の底部端面と前記制御筐体１６の頂部端面との間にはガスケット３３が装着され、前記調節口３２の中にはガイド棒１４が設置され、前記ガイド棒１４と前記第一管路２７とはスライド可能に装着され、前記ガイド管１４の底部にはのりの流出に便利な流出孔３４が設置され、前記ガイド棒１４には螺旋溝が設置され、前記ガイド棒１４の頂部端面には塗り板１３が固定的に装着され、のりが調節口３２の中に入った後、調節環２９を回し、調節環２９は調節カバー３０を上下にスライド連動させ、調節カバー３０はスプリングコレットチャック４０の変形を調節でき、スプリングコレットチャック４０の変形は調節口３２の空間の広さを調節でき、それにより、のりの流出量を調節でき、ガイド棒１４にある螺旋溝はのりの流出速度を緩められ、また、のりが凝固した後、調節口３２の中の空間への浚いに便利であり、塗り板１３は流れ出したのりを均等に塗らせることができる。
【００１４】
使用時に、のりを使おうとする時に、制御環１５を回し、制御環１５の回転は制御歯車２５の回転を連動させ、制御歯車２５の回転は第二管路２０を下へスライドさせ、第二管路２０が下へスライドすることで弾性弁膜３８を押し動かし展開させ、それにより、のりを第二管路２０の中に入らせることができ、制御歯車２５は回転する時に、環状ラック４３と密封棒２２とは回転連動され、連通孔２３と溢流管２１とを連通させ、弾性弁膜３８から溢れ出したのりは溢流管２１を通じて第一管路２７の中に入り、隔て板１２には一定量ののりを保存でき、それにより、次に使用する時に、のりの流出時間を減らすことができ、のりが調節口３２の中に入った後、調節環２９を回し、調節環２９は調節カバー３０を上下にスライド連動させ、調節カバー３０はスプリングコレットチャック４０の変形を調節でき、スプリングコレットチャック４０の変形は調節口３２の空間の広さを調節でき、それにより、のりの流出量を調節でき、ガイド棒１４にある螺旋溝はのりの流出速度を緩められ、また、のりが凝固した後、調節口３２の中の空間への浚いに便利であり、塗り板１３は流れ出したのりを均等に塗らせることができる。
【００１５】
前記水箱装置１０２にはギアポンプ２２を含み、前記ギヤポンプ２２の下端にはギヤポンプ軸７９が設置され、前記ギヤポンプ軸７９と前記水箱２１の下端壁は前記動力空間２７の上端壁と転動できるように連結され、前記ギヤポンプ軸７９の下端には前記モーター右傘歯車２５と噛み合った連結傘歯車２４が設置され、前記連結傘歯車２４は転動することで、前記ギヤポンプ２２に動力を与え、装置全体に清潔用水を提供できる。
【００１６】
本発明のメリットは：本発明はのりを絞り出すための時間を減らし、絞り出したのりの流出量を需要に合わせて調節でき、また、使用完了後に、のりの流出管路を浚え、塞ぎを防げ、普及に値する。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。